(57)【特許請求の範囲】
【請求項１】
板状の絶縁基板と、該絶縁基板上に形成された帯状のＬＥＤ用の一対の導電体パターン、帯状の抵抗体、及び帯状の集電体パターンと、前記ＬＥＤ用の一対の導電体パターンにそれぞれ接続される端子と、前記抵抗体及び前記集電体パターンにそれぞれ接続される複数個の端子と、前記導電体パターンのそれぞれに摺接する一対の第一、第二の接触子と、前記抵抗体と集電体パターンにそれぞれ摺接する摺動子と、前記絶縁基板に移動可能に取り付けられ、前記接触子と前記摺動子を取り付けた摺動子受けと該摺動子受けに連結して形成された操作部とを有する操作部材と、前記操作部に収納されるＬＥＤを備え、前記操作部材の前記操作部は、前記絶縁基板の面方向に延出し、前記絶縁基板の同一面側には、前記導電体パターン、前記抵抗体、及び前記集電体パターンがそれぞれ前記絶縁基板の長手方向に延びた状態で並設されると共に、前記導電体パターンが前記抵抗体及び前記集電体パターンよりも前記操作部に近い側に形成され、前記絶縁基板の互いに異なる表面及び裏面側には、前記導電体パターンに接続される端子と、前記抵抗体及び前記集電体パターンに接続される複数個の端子とがそれぞれ取り付けられたことを特徴とする照光式スライドボリューム。
【請求項２】
前記第一の接触子は、前記摺動子受けに取り付けられる第一の取付部を有し、前記第二の接触子は、前記摺動子受けに取り付けられる第二の取付部を有し、前記第一と、第二の取付部は前記導電体パターンが延びる方向に互いに対向させて前記摺動子受けに取り付けられたことを特徴とする請求項１記載の照光式スライドボリューム。
【請求項３】
前記第一の接触子は、前記第一の取付部から前記導電体パターンが延びる方向に設けられた第一の接触部を有し、前記第二の接触子は、前記第二の取付部から前記導電体パターンが延びる方向に取り付けられた第二の接触部を有し、前記第一、第二の接触部は、前記導電体パターンの延びる方向に対して直交する線上に互いに並設されたことを特徴とする請求項２記載の照光式スライドボリューム。
【請求項４】
並設された前記第一、第二の接触部を通る線上において対向する位置で、前記第一、第二の取付部を分離する切断部を形成したことを特徴とする請求項３記載の照光式スライドボリューム。
【請求項５】
前記摺動子は、前記導電体パターンの延びる方向と垂直方向に、前記第二の接触子の前記第二の取付部と並設されて、前記摺動子受けに取り付けられる取付部を有し、前記導電体パターンの延びる方向で前記第一の接触子の前記第一の取付部と前記摺動子の前記取付部の一部を対向させ、この対向する位置において、前記第二の取付部と前記摺動子の前記取付部を分離する切断部を形成したことを特徴とする請求項２から４のいずれかに記載の照光式スライドボリューム。
【請求項６】
前記接触子は、前記ＬＥＤの端子に接続される接続部を有し、前記接続部を挿入する溝部を前記操作部材の前記操作部に形成したことを特徴とする請求項１から５のいずれかに記載の照光式スライドボリューム。
【発明の詳細な説明】
【０００１】
【発明の属する技術分野】
本発明は、音響機器等の電気機器に使用される照光式スライドボリュームに関する。
【０００２】
【従来の技術】
従来の照光式スライドボリュームを図１１から図１７に基づいて説明すると、図１１は、従来の照光式スライドボリュームの部分正面図であり、図１２は、同じく裏面図であり、図１３は、図１１の１３−１３線における断面図であり、図１４は、同じく第二の摺動子受けの正面図であり、図１５は、同じく第二の摺動子受けの側面図であり、図１６は、同じく操作部の拡大図であり、図１７は、同じくＬＥＤの取り付けを示す拡大図である。
【０００３】
絶縁基板５１は、図１１から図１３に示すように、薄型の板状で構成され、この表面には、長手方向に２本印刷された一対の帯状のＬＥＤ用の導電体パターン５２が形成され、裏面には、長手方向に間隔を置いて交互に２本づつ印刷された帯状の抵抗体５３、集電体パターン５４が形成されている。一対の枠体５５は、断面が略コ字状の細長の合成樹脂からなり、一方の枠体５５の両端にはストッパ部５５ａが設けられており、そして、一対の枠体５５は、絶縁基板５１の上下の各周縁部に長手方向にかけて、取り付けられている。
【０００４】
端子５６は金属製の薄板からなり、カシメ等の手段で絶縁基板５１に取り付けられ、一対の導電体パターン５２の一端にそれぞれ接続されている。そして、端子５７も同様に金属製の薄板からなり、同様に絶縁基板５１に取り付けられ、抵抗体５３，集電体パターン５４の少なくとも一端に取り付けられている。
【０００５】
合成樹脂の成型品からなる操作部材５８は、第一の摺動子受け５９と、操作部６０とから構成され、第一の摺動子受け５９は、図１３に示すように、平板状の基部５９ａと、基部５９ａの上端部に形成された略Ｃ型を成す鉤状の第一の腕部５９ｂと、基部５９ａの下端部に形成された略Ｃ型を成す鉤状の第二の腕部５９ｃと、基部５９ａの上端部近傍から突出して形成された２つの突起５９ｄと、基部５９ａの下端部近傍から突出して形成された突起５９ｅを有している。そして、第一，第二の腕部５９ｂ，５９ｃが枠体５５を上，下から挟持し、係止されることによって、第一の摺動子受け５９は、抵抗体５３、集電体パターン５４が形成された絶縁基板５１面と対向し、枠体５５をガイドにして絶縁基板５１に対して長手方向に平行に移動可能となる。
【０００６】
操作部６０は、第一の摺動子受け５９から上方に延びて形成され、上方部で互いに間隔を置いて形成された一対の弾性腕６０ａと、第一の摺動子受け５９と弾性腕６０ａとの間に形成された２個の細長の溝部６０ｂと、一対のの弾性腕６０ａに挟まれた底壁６０ｃと、底壁６０ｃから溝部６０ｂに繋がるように形成された孔６０ｄとを有し、一対の弾性腕６０ａと底壁６０ｃによって収納部６１が形成されている。そして、このような構成の操作部６０は、第一の摺動子受け５９の第一の腕部５９ｂに対して直立した状態となっている。
【０００７】
複数個の摺動子６２は、図１３に示すように、金属製の薄板からなり、複数個の突出した摺動部６２ａを有している。そして、摺動子６２は、第一の摺動子受け５９に取り付けられ、複数個の摺動部６２ａは、それぞれ抵抗体５３，集電体パターン５４に弾接した状態となっている。そして、摺動部６２ａは、操作部材５８の移動と共に、抵抗体５３、集電体パターン５４上を摺接する。
【０００８】
第二の摺動子受け６３は、合成樹脂からなる矩形状の薄板からなり、図１３から図１５に示すように、上端部近傍に間隔を置いて２個形成された取付孔６３ａと、下端部近傍の略中央に形成された取付孔６３ｂを有する。
【０００９】
第一の接触子６４は、図１４，図１５に示すように、金属製の薄板からなり、平板状の第一の取付部６４ａと、第一の取付部６４ａの端部から絶縁基板５１の長手方向に突出して形成された第一の接触部６４ｂと、取付部６４ａから折り曲げられて形成された第一の折曲部６４ｃと、第一の折曲部６４ｃから直立して形成された、断面がコ字状からなる第一の接続部６４ｄを有している。また、第二の接触子６５も同様に、金属製の薄板からなり、第二の平板状の取付部６５ａと、第二の取付部６５ａの端部から絶縁基板５１の長手方向に突出して形成された第二の接触部６５ｂと、第二の取付部６５ａから折り曲げられて形成された第二の折曲部６５ｃと、第二の折曲部６５ｃから直立して形成された、断面がコ字状からなる第二の接続部６５ｄを有している。このような第一の接触子６４と、第二の接触子６５は、第二の摺動子受け６３に、第一の取付部６４ａと第二の取付部６５ｂが隣り合うようにインサート成型されることにより、第二の摺動子受け６３に取り付けられる。この時、第一の接触部６４ｂと第二の接触部６５ｂはその先端が交わらない状態で、上下方向に互い違いの状態になっている。また、操作部６０の溝部６０ｂには第一，第二の接続部６４ｄ、６５ｄがはめ込まれ、固定される。
【００１０】
そして、第二の摺動子受け６３は、図１３に示すように、２個の取付孔６３ａに第一の摺動子受け５９の突起５９ｄがそれぞれ挿通され、カシメられ、また、取付孔６３ｂに第一の摺動子受け５９の突起５９ｅが挿通され、カシメられることにより、第一の摺動子受け５９には絶縁基板５１を挟み込む状態で第二の摺動子受け６３が取り付けられ、この状態で、第二の摺動子受け６３は、操作部材５８と連動して絶縁基板５１に対して長手方向に平行に移動可能となっている。この時、第一の接触子６４の第一の接触部６４ｂと、第二の接触部６５の第二の接触部６５ｂはそれぞれ一対の導電体パターン５２に摺接する状態となっている。そして、第一、第二の接続部６４ｄ，６５ｄも第一，第二の接触子６４，６５と共に、長手方向に移動可能になっている。さらに、第一，第二の接触子６４，６５は、絶縁基板５１を挟んで摺動子６２と対向した状態で配設されている。
【００１１】
ＬＥＤ６６は、図１６に示すように、直方体状からなる発光部６６ａと、発光部６６ａの底面から突出した２本の端子６６ｂを有している。
そして、発光部６６ａを収納部６１に収納しながら端子６６ｂを操作部６０の孔６０ｄに挿入し、さらに、端子６６ｂを断面コ字状部の第一、第二の接続部６４ｄ、６５ｄに圧入、接続することによって、ＬＥＤ６６は収納部６１に収納される。この時、図１７に示すように、操作部６０の底壁６０ｃの角部にできた出っ張りに部６７により、ＬＥＤ６６が収納部６１に完全に挿入できないことがある。そして、端子６６ｂが第一，第二の接続部６４ｄ，６５ｄに接続することにより、ＬＥＤ６６は、第一、第二の接触子６４，６５と電気的に接続した状態となる。
【００１２】
このような構成の従来の照光式スライドボリュームは、操作部材５８を絶縁基板５１の長手方向に沿って移動することによって、第一の摺動子受け５９に固定された摺動子６２の摺動部６２ａが抵抗体５３、集電体パターン５４上を摺動して一対の端子５７間に所望の抵抗値が取り出され、第二の摺動子受け６３に固定された第一、第二の接触子６４，６５の第一、第二の接触部６４ｂ，６５ｂが導電体パターン５２上を摺動してＬＥＤ６６を点灯するようになっている。
【００１３】
【発明が解決しようとする課題】
しかし、従来の照光式スライドボリュームは、絶縁基板５１の表裏に導電体パターン５２と、抵抗体５３と集電体パターン５４を形成しているため、絶縁基板５１を裏返して印刷及び焼成を行う必要があり、作業効率が悪いという問題があった。
また、絶縁基板５１の表面に第一，第二の接触子６４，６５を摺接し、裏面に摺動子６２を摺接させるため、厚みが増し、大型になるという問題があると共に、摺動子６２を第一の摺動子受け５９に取り付け、第一，第二の接触子６４，６５を第二の摺動子受け６３に取り付けなければならず、作業工程が増え、コストが高くなるという問題があった。
本発明は、作業工程が少なく作業効率が良好で、且つ、安価に製造できる照光式スライドボリュームを提供することをその目的とする。
【００１４】
【課題を解決するための手段】
上記課題を解決するための第一の解決手段として、板状の絶縁基板と、該絶縁基板上に形成された帯状のＬＥＤ用の一対の導電体パターン、帯状の抵抗体、及び帯状の集電体パターンと、前記ＬＥＤ用の一対の導電体パターンにそれぞれ接続される端子と、前記抵抗体及び前記集電体パターンにそれぞれ接続される複数個の端子と、前記導電体パターンのそれぞれに摺接する一対の第一、第二の接触子と、前記抵抗体と集電体パターンにそれぞれ摺接する摺動子と、前記絶縁基板に移動可能に取り付けられ、前記接触子と前記摺動子を取り付けた摺動子受けと該摺動子受けに連結して形成された操作部とを有する操作部材と、前記操作部に収納されるＬＥＤを備え、前記操作部材の前記操作部は、前記絶縁基板の面方向に延出し、前記絶縁基板の同一面側には、前記導電体パターン、前記抵抗体、及び前記集電体パターンがそれぞれ前記絶縁基板の長手方向に延びた状態で並設されると共に、前記導電体パターンが前記抵抗体及び前記集電体パターンよりも前記操作部に近い側に形成され、前記絶縁基板の互いに異なる表面及び裏面側には、前記導電体パターンに接続される端子と、前記抵抗体及び前記集電体パターンに接続される複数個の端子とがそれぞれ取り付けられた構成とした。
【００１５】
また、第二の解決手段として、前記第一の接触子は、前記摺動子受けに取り付けられる第一の取付部を有し、前記第二の接触子は、前記摺動子受けに取り付けられる第二の取付部を有し、前記第一と、第二の取付部は前記導電体パターンが延びる方向に互いに対向させて前記摺動子受けに取り付けられた構成とした。
【００１６】
また、第三の解決手段として、前記第一の接触子は、前記第一の取付部から前記導電体パターンが延びる方向に設けられた第一の接触部を有し、前記第二の接触子は、前記第二の取付部から前記導電体パターンが延びる方向に取り付けられた第二の接触部を有し、前記第一、第二の接触部は、前記導電体パターンの延びる方向に対して直交する線上に互いに並設された構成とした。
【００１７】
また、第四の解決手段として、並設された前記第一、第二の接触部を通る線上において対向する位置で、前記第一、第二の取付部を分離する切断部を形成した構成とした。
【００１８】
また、第五の解決手段として、前記摺動子は、前記導電体パターンの延びる方向と垂直方向に、前記第二の接触子の前記第二の取付部と並設されて、前記摺動子受けに取り付けられる取付部を有し、前記導電体パターンの延びる方向で前記第一の接触子の前記第一の取付部と前記摺動子の前記取付部の一部を対向させ、この対向する位置において、前記第二の取付部と前記摺動子の前記取付部を分離する切断部を形成した。
【００１９】
また、第六の解決手段として、前記接触子は、前記ＬＥＤの端子に接続される接続部を有し、前記接続部を挿入する溝部を前記操作部材の前記操作部に形成した。
【００２０】
【発明の実施の形態】
本発明の照光式スライドボリュームを図１から図１０に基づいて説明する。
【００２１】
図１は、本発明の照光式スライドボリュームの正面図であり、図２は、同じく裏面図であり、図３は、図２の３−３線における断面図であり、図４は、同じく絶縁基板の裏面図であり、図５は、同じく操作部材の正面図であり、図６は、同じく摺動子と接触子の正面図であり、図７は、同じく摺動子と接触子の製造方法を説明する説明図であり、図８は、同じくＬＥＤの取付方法を説明する説明図であり、図９は、同じく操作部の拡大図であり、図１０は、同じく収納部の拡大図である。
【００２２】
絶縁基板１は、図１から図４に示すように、薄型の板状で構成され、略中央に形成された小さな貫通孔１ａを有し、この裏面の上部おいて、長手方向に延びた状態で印刷された一対の導電体パターン２が形成され、同じく同一面の下部において、長手方向に延びた状態で抵抗体３と集電体パターン４が形成され、導電体パターン２、抵抗体３、及び集電体パターン４は並設された状態となっている。
【００２３】
端子５は、図１，２に示すように、金属製の薄板からなり、カシメ等の手段で絶縁基板１の表面側に取り付けられ、一対の導電体パターン２の一端にそれぞれ接続されている。そして、複数個の端子６も同様に金属製の薄板からなり、絶縁基板１の裏面側に取り付けられ、抵抗体３の両端とセンタータップに接続されると共に，集電体パターン４の少なくとも一端に接続されている。
【００２４】
操作部材７は合成樹脂から形成され、特に図５に示すように、摺動子受け８と、操作部９から構成されている。摺動子受け８は、平板状の基部１０と、基部１０の上端部から鉤状に形成された第一の腕部１１と、基部１０の下端部から鉤状の形成された第二の腕部１２とを有している。そして、基部１０は、上端部中央に形成された孔１０ａと、右側部略中央に形成された切り欠き部１０ｂと、周縁部近傍に形成された突部１０ｃを有する。また、第一、第二の腕部１１，１２から円柱状の突起１３が２つずつ突出している。
【００２５】
また、操作部９は、図２に示すように、絶縁基板１の面方向に延出し、特に図５に示すように、摺動子受け８に結合された基部９ａと、この基部９ａの先端の両側に形成された一対の弾性腕１４と、一対の弾性腕１４に挟まれた底壁９ｅと、弾性腕１４と底壁９ｅによって囲まれた部分である収納部１５と、基部９ａの表面側において、基部９ａの中央から摺動子受け８に至って形成された２個の細長の溝部９ｂと、基部９ａの裏面側において、底壁９ｅから溝部９ｂに繋がるように形成された２個の細長の凹部９ｃを有している。そして、溝部９ｂの上方と、凹部９ｃの下方が重なり合う部分が貫通孔９ｄとなっており、溝部９ｂと凹部９ｃを繋いでいる。また、弾性腕１４は、その先端に収納部１５側に突出するように形成された突起１６と、収納部１５側に形成された内側壁１４ａを有している。また、突起１６は、収納部１５が広くなるように内側壁１４ａの上端部から傾斜するテーパ面１６ａを有している。
【００２６】
そして、操作部材７は、第一の腕部１１が絶縁基板１の上端部に取り付けられ、第二の腕部１２が絶縁基板１の下端部に取り付けられることによって、絶縁基板１を上，下から挟持し、係止される。そして、操作部材７は、絶縁基板１に対して長手方向に移動可能となる。また、端子６の内、内側に形成された端子６がストッパとして、操作部材７のスライド方向の抜けを防止するようになっている。
【００２７】
摺動部材１７は、図６に示すように、第一の接触子１８と、第一の接触子１８に連結して形成された第二の接触子１９と、第二の接触子１９に連結して形成された摺動子２０と、第一の接触子１８，第二の接触子１９，摺動子２０に形成された複数の丸穴２１を有する。
そして、第一の接触子１８は、平板状の第一の取付部１８ａと、第一の取付部１８ａから導電体パターン２が延びる方向に設けられた第一の接触部１８ｂと、第一の接触部１８ｂと直交する方向で、取付部１８ａから延出された第一の接続部２２を有する。また、第二の接触子１９は、平板状の第二の取付部１９ａと、第二の取付部１９ａから導電体パターン２が延びる方向に設けられた第二の接触部１９ｂと、第二の接触部１９ｂと直交する方向で、取付部１９ａから延出された第二の接続部２３を有する。そして、第一と、第二の取付部１８ａ、１９ａは、導電体パターン２が延びる方向に互いに対向した状態になっており、第一と、第二の接触部１８ｂ、１９ｂは、導電体パターン２の延びる方向に対して直交する線Ｘ上に互いに並設された状態となっている。
【００２８】
そして、第一の接続部２２は、１枚の金属板からなり、中央部２２ａと、中央部２２ａを挟んで両側に直立して、断面コの字を呈するように形成された側壁部２２ｂと、側壁部２２ｂの一部から突出した突片を折り曲げ形成された舌片２２ｃを有している。同様に、第二の接続部２３も、中央部２３ａ、側壁部２３ｂ、舌片２３ｃを有している。
【００２９】
摺動子２０は、平板状の取付部２０ａと、取付部２０ａから抵抗体３、及び集電体パターン４の延びる方向に設けられた一対の摺動部２０ｂと、摺動部２０ｂと並設して設けられたクリック用摺動部２０ｃを有する。そして、取付部２０ａは、導電体パターン２の延びる方向と垂直方向に第二の接触子１９の第二の取付部１９ａと並設された状態となっており、また、クリック用摺動部２０ｃの先端には丸状の凸部２０ｄが形成されている。そして、このような摺動部材１７は、図７に示すように、一枚の金属板を打ち抜くことによって形成される。
【００３０】
そして、図７で示す外形に打ち抜かれ、第一，第二の接続部２２，２３を形成するための曲げ加工を行った摺動部材１７は、操作部材７に取り付けられ、この取付けは、摺動部材１７の複数の丸穴２１に、摺動子受け８の複数個の突部１０ｃがはまり、突部１０ｃの先端がカシメられることによってなされる。また、第一，第二の接続部２２，２３が操作部９の溝部９ｂにはめ込まれ、溝部９ｂの内壁には第一，第二の接続部２２，２３の側壁部２２ｂ，２３ｂが弾接する状態となっている。この時、図７，図８に示すように、並設された第一、第二の接触部１８ｂ、１９ｂを通る線Ｘ上において対向する位置には、第一、第二の取付部１８ａ、１９ａを切り離す第一の切断部２４用の連結部Ｒ１を形成し、摺動部材１７を操作部材７に取り付けた後に、摺動子受け８の孔１０ａから図示しない切断治具で連結部Ｒ１を切断して第一の切断部２４を形成して、第一の接触子１８と第二の接触子１９を電気的に分離している。同じく、図８に示すように、導電体パターン２の延びる方向に第一の取付部１８ａと摺動子２０の取付部２０ａの一部を対向させ、この対向する位置において、第二の取付部１９ｂと摺動子２０の取付部２０ａを切り離す第二の切断部２５用の連結部Ｒ２を形成し、摺動部材１７を操作部材７に取り付けた後に、摺動子受け８の切り欠き部１０ｂから図示しない切断治具で連結部Ｒ２を切断して第二の切断部２５を形成し、第二の接触子１９と摺動子２０を電気的に分離している。
そして、第一の接触子１８の第一の接触部１８ｂと、第二の接触子１９の第二の接触部１９ｂは、一対の導電体パターン２にそれぞれ弾接した状態となり、また、摺動子２０の摺動部２０ｂは、抵抗体３及び集電体パターン４に弾接した状態となり、操作部材７が絶縁基板１を長手方向に移動するに従って、第一の接触部１８ｂと第二の接触子１９ｂは、導電体パターン２上を摺動し、摺動部２０ｂは、抵抗体３及び集電体パターン４上を摺接するようになっている。
【００３１】
取付板２６は薄板状の合成樹脂からなり、図１，図３に示すように、平板状の基部２６ａと、基部２６ａの四隅に形成された４個の孔２６ｂと、孔２６ｂの近傍で、基部２６ａから突出して形成された４個のガイド部２６ｃを有している。そして、取付板２６は、孔２６ｂに摺動子受け８の突起１３がそれぞれ嵌合し、カシメられることによって、取付板２６と摺動子受け８とで絶縁基板１を挟み込む状態で、取付板２６が操作部材７に取り付けられる。こうして、取付板２６は、操作部材７が絶縁基板１の長手方向に移動するに従って、操作部材７と一体となって移動するようになっている。この時、ガイド部２６ｃが、図３に示すように、絶縁基板１の表面の上下外周部に当接した状態となっており、絶縁基板１の表面を摺動するようになっている。
【００３２】
ＬＥＤ２７は図８から図１０に示すように、直方体状の発光部２８と、発光部２８の底面から突出した２本の端子２９を有している。そして、図８，図９に示すように、発光部２８を収納部１５に収納しながら、端子２９を操作部９の裏面側の凹部９ｃにそれぞれ挿入し、貫通孔９ｄに挿通して、表面側の溝部９ｂに配設された第一，第二の接続部２２，２３の第一、第二の側壁部２２ｂ，２３ｂを押し広げて、第一，第二の中央部２２ａ，２３ａと第一，第二の側壁部２２ｂ，２３ｂで構成される断面コ字状部に圧入、接続し、さらに、発光部２８を弾性腕１４に形成された突起１６によって、スナップ止めすることによって、ＬＥＤ２７は操作部９の収納部１５に収納される。この時、第一，第二の舌片２２ｃ，２３ｃは、端子２９が第一，第二の側壁部２２ｂ，２３ｂを押し広げる際、端子２９が外方にはみ出すことを防止している。そして、端子２９が第一，第二の接続部２２，２３に接続することにより、ＬＥＤ２７は、第一、第二の接触子１８，１９と電気的に接続した状態となる。
【００３３】
さらに、ＬＥＤ２７の収納状態について説明すると、図１０に示すように、弾性腕１４の突起１６のテーパ面１６ａに、発光部２８のエッジ２８ａが当接すると共に、内側壁１４ａに対向する発光部２８の側面２８ｂと、弾性腕１４の内側壁１４ａとの間、即ち、内側壁１４ａの上部から操作部９の底壁９ｅまでの間において、隙間３０が形成されている状態となっている。このため、発光部２８の角部が収納部１５の角部から離間した状態で、底壁９ｅに当接するようになっている。
【００３４】
このような構成の本発明の照光式スライドボリュームは、操作部９を絶縁基板１の長手方向に沿って移動することによって、摺動子受け８に固定された摺動子２０の摺動部２０ｂが抵抗体３、集電体パターン４上を摺動して一対の端子６間に所望の抵抗値が取り出され、同じく、摺動子受け８に固定された第一，第二の接触子１８，１９の第一，第二の接触部１８ｂ，１９ｂが一対の導電体パターン２上を摺動してＬＥＤ２７を点灯し、また、絶縁基板１の貫通孔１ａに摺動子２０のクリック用摺動部２０ｃが係合することによって、操作部９が長手方向の中央位置に来たことを操作者が感知できるようになっている。
【００３５】
次に、導電体パターン２、抵抗体３，及び集電体パターン４の形成について説明すると、絶縁基板１上に、銀等の比抵抗の低いインクで一対の導電体パターン２、及び集電体パターン４を同一の工程で印刷形成して焼成する。その後に、カーボン等の比抵抗の高いインクで抵抗体３を印刷形成して焼成する。
【００３６】
そして、この照光式スライドボリュームをセットに搭載する場合には、操作部材７を直接操作する、或いは操作部材７に図１に示すように透明なつまみＴを圧入し、これを操作して使用する。
なお、本発明は上記実施の形態に限られず、操作部材７の操作部９を絶縁基板１の面方向と直交する方向に延出した伏型のものでも良い。
【００３７】
【発明の効果】
本発明の照光式スライドボリュームは、絶縁基板の同一面側に、導電体パターン、抵抗体、及び集電体パターンがそれぞれ絶縁基板の長手方向に延びた状態で並設された構成としたため、印刷パターンを一面に施せばよいので、作業効率が良好な照光式スライドボリュームを提供できる。
【００３８】
また、操作部材の操作部を、絶縁基板の面方向に延出させ、導電体パターンが、抵抗体及び集電体パターンよりもＬＥＤ収納した操作部に近い側に形成された構成としたため、ＬＥＤと集電体パターンを電気的に接続する第一，第二の接触子の形状を簡便にすることができ、作業効率が良く、安価な照光式スライドボリュームを提供することができると共に、一方の面に接触子、摺動子を設けることができるので、薄型の照光式スライドボリュームを提供することができる。
【００３９】
また、第一と、第二の取付部は導電体パターンが延びる方向に互いに対向させて摺動子受けに取り付けられた構成としたため、絶縁基板の短手方向に第一，第二の取付部が小さくなるので、一面にＬＥＤの導電体パターン、抵抗体、集電体パターンを設けても、高さ方向が小さい照光式スライドボリュームを提供することができる。
【００４０】
また、第一、第二の接触部は、導電体パターンの延びる方向に対して直交する線上に互いに並設された構成としたため、第一、第二の取付部の分だけ絶縁基板の短手方向に第一，第二の接触部のスペースが小さくなるので、一面にＬＥＤの導電体パターン、抵抗体、集電体パターンを設けても、高さ方向が小さい照光式スライドボリュームを提供することができる。
【００４１】
また、並設された第一、第二の接触部の重なる位置を通る線上において対向する位置で、第一、第二の取付部を分離する切断部を形成したため、第一，第二の接触部との間隔が狭くできて、一面にＬＥＤの導電体パターン、抵抗体、集電体パターンを設けても、高さ方向が小さい照光式スライドボリュームを提供することができる。
【００４２】
また、導電体パターンの延びる方向に第一の接触子の第一の取付部と摺動子の取付部の一部を対向させ、この対向する位置において、第二の取付部と摺動子の取付部を分離する切断部を形成したため、摺動子を第二の取付部側に近接して、摺動子が小さくでき、一面にＬＥＤの導電体パターン、抵抗体、集電体パターンを設けても、高さ方向が小さい照光式スライドボリュームを提供することができる。
【００４３】
また、接続部を挿入する溝部を操作部材の操作部に形成したため、操作部の形状が簡単になり、第一，第二の接触子の形状も簡単となるので、作業効率の良い照光式スライドボリュームを提供することができる。
【図面の簡単な説明】
【図１】本発明の照光式スライドボリュームの正面図。
【図２】本発明の照光式スライドボリュームの裏面図。
【図３】図２の３−３線における断面図。
【図４】本発明の照光式スライドボリュームに係る、絶縁基板の裏面図。
【図５】本発明の照光式スライドボリュームに係る、操作部材の正面図。
【図６】本発明の照光式スライドボリュームに係る、摺動子と接触子の正面図。
【図７】本発明の照光式スライドボリュームに係り、摺動子と接触子の製造方法を説明する説明図。
【図８】本発明の照光式スライドボリュームに係り、ＬＥＤの取付方法を説明する説明図。
【図９】本発明の照光式スライドボリュームに係る、操作部の拡大図。
【図１０】本発明の照光式スライドボリュームに係る、収納部の拡大図。
【図１１】従来の照光式スライドボリュームの部分正面図。
【図１２】従来の照光式スライドボリュームの裏面図。
【図１３】図１１の１３−１３線における断面図。
【図１４】従来の照光式スライドボリュームに係る、第二の摺動子受けの正面図。
【図１５】従来の照光式スライドボリュームに係る、第二の摺動子受けの側面図。
【図１６】従来の照光式スライドボリュームに係る、操作部の拡大図。
【図１７】従来の照光式スライドボリュームに係る、ＬＥＤの取り付けを示す拡大図。
【符号の説明】
１  絶縁基板
２  導電体パターン
３  抵抗体
４  集電体パターン
５  端子
６  端子
７  操作部材
８  摺動子受け
９  操作部
１４  弾性腕
１５  収納部
１６  突起
１７  摺動部材
１８  第一の接触子
１９  第二の接触子
２０  摺動子
２１  接続部
２２  丸穴
２３  第一の切断部
２４  第二の切断部
２５  取付板
２６  ＬＥＤ
２７  端子
【図１】
0003665518.tif 000002
【図２】
0003665518.tif 000003
【図３】
0003665518.tif 000004
【図４】
0003665518.tif 000005
【図５】
0003665518.tif 000006
【図６】
0003665518.tif 000007
【図７】
0003665518.tif 000008
【図８】
0003665518.tif 000009
【図９】
0003665518.tif 000010
【図１０】
0003665518.tif 000011
【図１１】
0003665518.tif 000012
【図１２】
0003665518.tif 000013
【図１３】
0003665518.tif 000014
【図１４】
0003665518.tif 000015
【図１５】
0003665518.tif 000016
【図１６】
0003665518.tif 000017
【図１７】
0003665518.tif 000018